(57)【特許請求の範囲】
【請求項１】
棒状部材の両端に、下記の装置を設けた事を特徴とする、室内物干し棒。  Ａ，平板状の当接面を有する当接部材を、摺動自在に取付ける。当接部材とは、壁面や柱等の平面部に、押し当てる為の部材を指す。摺動自在とは、面と面との滑り運動や、外筒と内筒との嵌合による摺動や、カーテンレール状のガイドの上を滑り動く構成等、所定の方向の直線運動自在を指す。  Ｂ，棒状部材と、当接部材との摺動面は、テーパーとする。テーパーとは、棒状部材を水平に設置した時、当接部材の摺動方向が、垂直に対して所定の角度をもって傾斜している事を指す。  Ｃ，テーパーの角度は、棒状部材を水平に設置した場合、当接部材が上方に移動すると、本発明品全体の幅、すなわち、当接部材の当接面と当接面の距離が広がる様に装置する。  Ｄ，棒状部材と当接部材とは、ゴムやスプリング等の弾性部材を介して連結又は接合され、無負荷時に当接部材は、定位置に保持される。
【請求項２】
棒状部材の両端に、下記の装置を設けた事を特徴とする、室内物干し棒。  Ａ，円盤状のカムを、回転自在に取付ける。円盤状のカムとは、回転軸に対して、規則的に半径が変化する外周面を有した装置を指し、真円の円盤の軸芯をずらして装置る場合も含み、一定の厚さを有する。  Ｂ，円盤状のカムの回転軸は、棒状部材の軸方向に対して、ほぼ直角とする。  Ｃ，円盤状のカムの回転軸は、棒状部材を水平に設置した時、棒状部材に対して、ほぼ同じか、または上方に装置し、回転軸は、ほぼ水平とする。  Ｄ，円盤状のカムの外周面は、回転軸に対して、１度から３６０度の範囲で形成され、カム面を構成する外周面が、壁や柱に押し当てられる様に装置する。  Ｅ，円盤状のカムの回転軸は、棒状部材に直接取付けられるか、または、別の取付け部材を介して、棒状部材に取付けられる。  Ｆ，棒状部材又は取付け部材と、円盤状のカムとは、ゴムやスプリング等の弾性部材を介して連結又は接合され、無負荷時には、カムの角度は定位置に保持される。
【請求項３】
円盤状のカムを下記の様に構成し、カムの外周面が、回転軸を略中心として、揺動可能に装置した事を特徴とする、請求項２に記載の、室内物干し棒。  Ａ，円盤状のカムの全体又は、回転軸の近傍のみを、ゴムや塩化ビニール等の弾性部材で形成する。  Ｂ，弾性部材で形成された部分と、取付け部材又は棒状部材を、接合又は連結し、回転軸部分を中心にして自在に回転できない様に構成する。  Ｃ，カムの外周面は、弾性部材の変形によって、揺動可能に構成する。
【請求項４】
棒状部材を、外筒及び内筒で構成する、または、２本の棒状部材を、摺動自在に嵌合する、または、別の棒状部材を着脱自在に装置する事で、全長を調節可能に構成し、かつ、伸縮をロックする機構を設けた事を特徴とする、請求項１，２，及び３のいずれか１項に記載の、室内物干し棒。伸縮をロックする機構とは、ネジ、ピン、ターンバックル、スプリングなど、２つの部品の相対運動を規制したり解放したりする際に使用される、一般的な機構を指す。
【請求項５】
外筒又は内筒に、相対回転を防止する装置を設ける、又は、外筒及び内筒を異形断面とし、相対回転を規制した事を特徴とする、請求項４に記載の、室内物干し棒。摺動自在で、相対回転を規制する装置とは、外筒に長円形の孔を設け、内筒にピンを設けて、このピンと長円形の孔を嵌合させる方法や、外筒にボルトやピンを設け、内筒の外周に設けた軸方向の凹部と嵌合させる方法等の構成を指す。異形断面とは円形以外の断面形状を有する棒状部材を指し、例えば凹凸部を設けた円形断面や、長方形断面，多角形断面などを指す。
【請求項６】
水平に装置した吊り下げ用部材の両側に、水平よりも下向きにピン結合したプレートを装置し、その両側に、水平方向に可動自在な棒状部材を設け、その棒状部材の両端には、壁などに当接する為の平面部を有する事を特徴とする、室内物干し棒。吊り下げ用部材とは、洗濯用ハンガーなどを掛ける棒状の部材や、フック状の部材を取付けたプレート等を指し、この部材に吊り下げた品物の重量により、ピン結合された部材の下向き角度が小さくなる事で、両側の棒状部材を押し広げる力に変換される事を特徴とする。
【請求項７】
円盤状のカムの外周面や、当接部材の平板部等の、壁面や柱などに当接する面に、ゴムや塩化ビニール等の、高摩擦係数を有する材料を取り付けた事を特徴とする、請求項１，２，３，４，５，及び６のいずれか１項に記載の、室内物干し棒。
【発明の詳細な説明】
【発明の詳細な説明】
【技術分野】
【０００１】この発明は、主に洗濯物などを、簡易的に室内に干す為の、吊り下げ器具に関する。
【背景技術】
【０００２】室内に洗濯物などを干す場合、大型で専用の室内物干し器具は市販されている。また、壁と壁との間に、スプリングの反力で取付ける、通称、突っ張り棒も、一般的に市販されている。他にも、鴨居などに引っ掛ける構造の洗濯物干しも市販されている。
【発明が解決しようとしている課題】
【０００３】室内用の物干し器具は、晴天の未使用時には邪魔になる。壁に掛ける方法では、家の壁や柱に傷が付く恐れが有り、接着剤は作業性が悪く、吸盤は相手物が平面以外では使えなかった。また、この方法では洗濯物が壁に張り付く為、乾きが悪い。壁と壁の間に、スプリングの反力で取付ける、突っ張り棒が一般市販されているが、スプリングが弱いと落ちてしまうし、強力なスプリングを使用すると、取付けが難しく、不要な時に取り外すのも非常に手間がかかる。従って通常、突っ張り棒は、固定式として使用され、生活の邪魔にならない場所、即ち、高い所や風通しの悪い所にしか使用できなかった。高い場所では、お年寄りや小柄な人が洗濯物を干すのに不便で、日当りや風通しの悪い場所では、洗濯物の乾きが悪い。
【課題を解決する為の手段】
【０００４】吊下げ物の重量を、壁を押す荷重に効率良く変換し、壁と壁の間に、摩擦力を使って取付ける、棒状の洗濯物干し器具を提供する。クサビ機構，カム機構，リンク機構により、吊下げ物の重量による下向き荷重を、水平方向の荷重に変換する。本構造によれば、突っ張り棒の様にスプリングを内蔵する必要も無く、また、無負荷の時には、壁を押す力が発生していない為、簡単に外す事ができる。
【発明を実施するための形態】
【０００５】本発明の実施例を、図１〜図８を引用し、請求項１〜７の内容に沿って述べる。
【０００６】図１は、請求項１の実施例を表している。水平に配置した棒状部材１の両側に、テーパーの摺動面４を介して、当接部材２を装置する。当接部材２は、ゴムやスプリング等の弾性部材５で、棒状部材１側に連結されている。以後、テーパーの摺動面は、テーパー面と記す。テーパー面４の傾きは左右対称で、図１の様に設定する。すなわち、棒状部材１が、下方向に移動すると、当接部材２は左右に離れ、全体の幅が広くなる様に装置する。以上の構成で、本発明品を壁と壁の間に水平に設置し、棒状部材１に洗濯物などを吊下げると、テーパー面４によって、当接部材２を壁面１０に押付ける力が発生する。テーパー面の傾斜角度と、平面部３の摩擦係数を適正値に設定すれば、平面部３に発生する摩擦力が、吊下げ物の重量＋本体重量の合計重量よりも大きくなり、洗濯物等を保持する事ができる。無負荷の状態では、弾性部材５で当接部材２が、下方に押し下げられる様に設定すれば、当接部材２が壁面を弱い荷重で押す為、本体は単独でも空中に保持される。つまり、突っ張り棒の様に、内臓したスプリングの付勢力が無くても落下する事は無い。また、棒状部材１と当接部材２が、ばらばらに離れてしまう事も防げ、使い勝手も良くなる。以上が、請求項１に記載した内容の実施例である。
【０００７】図２は、テーパー面４の断面形状の一例を表している。棒状部材１側と、当接部材２側の、各摺動部材の断面を、１１と１２の様に形成し組合せれば、互いに外れる事が無く、摺動する事ができる。
【０００８】図３は、請求項２の実施例で、右半分のみを表している。請求項１に記載の内容と同じ機能を発揮させる方法として、水平に配置した棒状部材１の両端に、円盤状のカム７を、回転軸８を介して回転自在に装置する。円盤状のカム形状は、図３の状態で、反時計回りに回転した時、回転軸８と、壁面１０との距離が離れる様に、半径を変化させる。回転軸８は、取付け部材６により、棒状部材１よりも上方に装置する。また、円盤状のカム７は、弾性部材５によって、取付け部材６または、棒状部材１と接合させる。棒状部材１と取り付け部材６は、一体でも良い。以上の構成で、本発明品を壁と壁の間に水平に設置し、棒状部材１に洗濯物などを吊下げると、円盤状のカム７は、壁面１０の表面に接しながら反時計方向に回ろうとする為、円盤状カムの外周面９には壁面１０を押付ける力が発生する。これは、請求項１のテーパー機構を円盤状のカムに置き換えたのと同じ効果で、その結果、洗濯物等を保持する事ができる。尚、請求項２の構成では、弾性部材５によって回転が規制され、実際に円盤状のカム７が回転するのは、数度から数１０度の角度に過ぎない。従って、円盤状のカム７の外周面９は、３６０度の範囲で存在する必要は無く、例えば図３の様に、一部分を切り欠いた形状のカムでも良い。無負荷の状態では、弾性部材５により、円盤状のカム７の回転が、定位置に戻る様に設定しておけば、請求項１の実施例と同様、無負荷時でも落下する事は無く、使い勝手が良い。また、回転軸８は、棒状部材１よりも上部に装置してあるので、円盤状のカム７の外周面９と壁面１０が接する位置も、棒状部材１より上部になる。従って、棒状部材１に洗濯物等を吊った時に、棒状部材が回転する事が無く、確実にカム機構の機能を発揮できる。以上が、請求項２に記載した内容の実施例である。
【０００９】図４は、請求項３の実施例を表している。これは、請求項２の機能を別の方法で実施したもので、円盤状のカム７の、回転軸８の近傍をゴム等の弾性部材１３で成形し、１３は、取り付け部材６に設けた孔１４に突起部を差込み、回転を規制する。以上の構成により、円盤状のカム７は、回転不可能になるが、弾性部材１３の変形により、わずかに回転できる。また、回転軸８を固定してしまっても、弾性部材１３全体が変形する事により、回転軸８の場所を略中心として円盤状のカム７は揺動できる。従って、円盤状のカム７の外周面の動きは、請求項２に記載の構成とほぼ同じとなり、機能を確保できる。以上が、請求項３に記載した内容の実施例である。
【００１０】図５は、請求項４の実施例を表している。棒状部材１は、外筒１５に内筒１６を差し込み、伸縮自在に構成する。この構成により、１本の本発明品で、色々な幅の壁間に使用できる。１７はロックレバーで、長さ調節後に反時計回りに倒すと、ターンオーバー機構によって、ピン１８に取り付けられたロック部１９が内筒に強く押付けられ、摩擦により伸縮が規制される。本構成により、壁と壁の間の距離が異なる場所にも、本発明品を使用できる。以上が、請求項４の実施例である。
【００１１】図６は、請求項５の実施例を表している。請求項４の構成で、外筒１５と内筒１６の断面が円形の場合、伸縮時に相対回転してしまい、請求項１ではテーパー面４の角度が、また、請求項２と３では、円盤状カム７の方向が定まらない。この問題を防ぐのが、請求項５の内容である。その一例として、図６では、内筒１６の外周面に、凹部２１を設ける。また、外筒１５には、ボルト２０をネジ込み、ボルトの先端部分を凹部２１に合わせる。以上の様に構成する事により、外筒１５と内筒１６の相対回転は不可能になるが、伸縮する事は一切妨げず、よって、請求項１〜４の機能を確保する事ができる。また、全体の長さを調整後、ボルト２０を強く締め込めば、ボルト２０の先端が内筒１６に押し付けられ、その摩擦によって、外筒と内筒は伸縮不可能になる。従って図６は、請求項４の、他の実施例でもある。
【００１２】図７は、請求項６の実施例を表している。洗濯物等を吊下げる為のフック２２に、ピン結合部２３を介して、プレート２４を左右対称で、図７の様に下向きに装置する。プレート２４の両端には、水平に、棒状部材２６を装置する。棒状部材２６は、筒状のガイド２７により、水平に左右に摺動自在に装置する。ガイド２７には、プレート２４とフック２２が出る為の窓２８が設けられている。棒状部材２６の両端部３は、壁面１０に当接する為の平面を設ける。また、弾性部材２５で左右のプレート２４を連結する。以上の様に構成した本発明品を、壁と壁の間に配置し、フック２２に洗濯物等を吊下げると、その自重により、棒状部材２６は左右に押し広げられ、平面部３は壁面１０を押付ける。従って、請求項１に記載の内容と同じ機能を得る事ができる。また、本構成では、平面部３の可動距離を大きく設定できるので、請求項４に記載の長さ調節機構が不要になる。また、スプリング等の弾性部材２５で、プレート２４に付勢力を与えている為、フック２２に品物を吊り下げなくても、平面部３が壁面１０を押し付ける事ができ、本発明品は落下しない。無論、棒状部材２６を伸縮可能に構成したり、別の棒状部材を追加可能に構成すれば、大きく異なる幅の壁間にも対応できる。以上が、請求項６の実施例である。
【００１３】図８は、請求項１の内容と、請求項６の内容を合成した場合の実施例を表している。フック２２を取り付けた吊下げ部材２９の両端に、テーパー面３０を設ける。その両側に、棒状部材３１を配置し、端部３２をテーパー面３０に当接させる。棒状部材３１の両端には、平面部３を設ける。そして、棒状部材３１は、ガイド２７の中を左右に摺動自在に装置する。以上の構成により、フック２２に洗濯物等を吊下げると、テーパー面３０が棒状部材２９を左右に押し広げ、平面部３は、壁面１０に押付けられる。従って、本構成でも、請求項６に記載の内容と、同等の機能を得る事ができる。
【００１４】請求項７の実施例としては、図１，図３，図７，図８，で、壁面に当接する平面部３や、円盤状のカムの外周面９に、ゴムや塩化ビニール等の高摩擦係数材料を貼り付ける。この構成により、クサビ機構やカム機構の効率が向上し、より脱落しにくくなる。以上が、請求項７の実施例である。
【本発明の効果】
【００１５】本発明によれば、就寝時や外出時などに、室内の最適な場所に洗濯物を干す事ができる。しかも、使用しない時は、簡単に外して片付ける事ができる。また、簡単に外せる事から取付け場所を選ばず、使い易い高さ，場所に設置できるので、お年寄りや、小柄な人でも、簡単に洗濯物等を干す事が可能となる。
【図面の簡単な説明】
【図１】請求項１の実施例で、両端にクサビ機構を設けた室内物干し棒である。
【図２】クサビ機構部分の断面形状の一例を表す。
【図３】請求項２の実施例で、両端に円盤状のカム機構を設けた室内物干し棒である。
【図４】請求項３の実施例で、弾性部材で揺動可能に取り付けた円盤状のカムである。
【図５】請求項４の実施例で、長さ調整機構を表す。
【図６】請求項５の実施例で、伸縮棒の相対回転防止機構を表す。
【図７】請求項６の実施例で、リンクプレートを設けた室内物干し棒である。
【図８】請求項１と請求項６を合成した内容の実施例を表す。
【符号の説明】  １、棒状部材。樹脂や金属製で、洗濯物等を吊り下げる物干し竿に相当する。  ２、当接部材。片側がテーパー面で、他端は壁面１０に当接する平面部を有する。  ３、当接部材２が壁面１０に当接する平面部  ４、テーパーの摺動面。棒状部材１に対して、一定の傾斜角を有する。  ５、弾性部材。ゴムやスプリング等を指す。  ６、取付け部材。棒状部材１に、円盤状のカム軸８を取付ける為のステーである。  ７、円盤状のカム。  ８、回転軸。円盤状のカム７の、回転中心である。  ９、円盤状のカム７の、外周面。一定の幅を有し、壁面１０に当接する。１０、平行に向かい合った壁面。室内の柱等も含む。１１、一対の摺動部材の、片側。棒状部材１の一部分を指す。１２、一対の摺動部材の、片側。当接部材２の一部分を指す。１３、弾性部材。ゴムや塩化ビニール等で、成形された部材を指す。１４、取付け部材６に設けた孔。弾性部材１３の一部を嵌め込み保持する。１５、棒状部材１に長さ調整機構を設けた時の、外筒。１６、棒状部材１に長さ調整機構を設けた時の、内筒。１７、ロックレバー。伸縮部を固定する。１８、ピン。レバー１７の回転軸である。１９、ロック部。レバー１７を反時計回りに回転させると、内筒１６に押し付けられる。２０、ボルト。外筒１５にネジ込み、内筒１６との相対回転を規制する。２１、凹部。内筒１６に設けられ、伸縮時に、ボルト２０の先端が通る。２２、フック。洗濯ハンガー等を吊り下げる。２３、リンクプレートの、ピン結合部。２４、プレート。ピン結合されたリンク機構の一部である。２５、弾性部材。ゴムやスプリング等を指す。２６、左右一対の、棒状部材で、ガイド２７に沿って左右に摺動する。２７、ガイド。筒状又は棒状で、棒状部材２６が、左右に摺動する。２８、ガイド２７に設けた孔。リンクのプレート２４が出る。２９、フック付きの吊り下げ部材。３０、テーパー面。吊り下げ部材２９の左右に設け、棒状部材３１を押す。３１、左右一対の、棒状部材で、ガイド２７に沿って左右に摺動する。３２、棒状部材３１の端部。テーパー面３１上を、滑らかに摺動する。
【図１】
0004753109.tif 000002
【図２】
0004753109.tif 000003
【図３】
0004753109.tif 000004
【図４】
0004753109.tif 000005
【図５】
0004753109.tif 000006
【図６】
0004753109.tif 000007
【図７】
0004753109.tif 000008
【図８】
0004753109.tif 000009